【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
ウェブプラットフォームベースの宿泊施設共有サービス提供方法として、
(i)複数の宿泊施設に関する情報を保存するデータベースを準備する段階と、
(ii)複数のクライアントからそれぞれ宿泊施設使用申し込みを受信する段階であって、上記宿泊施設申し込みのそれぞれは上記複数の宿泊施設の内、少なくとも一つを指定する情報を含む段階と、
(iii)上記宿泊施設申し込みに基づいて宿泊施設共有候補グループを構成する段階であって、上記宿泊施設共有候補グループはグループID(Identification)によって識別され、上記グループIDは複数のメンバーIDと関連していて、上記複数のメンバーIDは上記複数のクライアントの内一部のクライアントを識別し、上記宿泊施設共有候補グループを構成する段階は上記複数のメンバーIDのそれぞれと関連したメンバー情報を保存する段階を含めて、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー(penalty)金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて、上記複数のメンバーIDのそれぞれと関連した上記メンバー情報は上記該当メンバーIDと関連した口座に関する情報をさらに含む段階と、
(iv)上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定する段階と、
(v)上記確定された宿泊施設共有グループの上記グループIDと関連した特定メンバーIDによって識別されるクライアントから上記該当提供宿泊施設が廢房されている事を知らせる通知メッセージを上記該当提供宿泊施設の廢房日時から先定された時間内に受信出来ず上記事業者端末から上記特定メンバーIDを識別する識別情報を含むメッセージを受信したり上記特定メンバーIDによって識別されるクライアントから事業者識別情報を含むメッセージを受信する場合、上記特定メンバーIDと関連した上記口座まで上記該当提供に対する廢房日時ペナルティー金額がオンライン入金されるようにする段階と、を含む宿泊施設共有サービス提供方法。
【請求項２】
(iii-1)上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを送信する段階をさらに含む、請求項１に記載の宿泊施設共有サービス提供方法。
【請求項３】
(vi)上記特定メンバーIDによって識別されるクライアントから上記該当使用宿泊施設が上記該当使用宿泊施設の開房日時から開房されている事を知らせる通知メッセージを上記該当使用宿泊施設の開房日時から先定された時間内に受信出来ず上記事業者端末から上記特定メンバーIDを識別する識別情報を含むメッセージを受信したり上記特定メンバーIDによって識別されるクライアントから上記事業者識別情報を含むメッセージを受信する場合、上記特定メンバーIDと関連した上記口座まで上記該当使用宿泊施設に対する開房日時ペナルティー金額がオンライン入金されるようにする段階をさらに含む、請求項１に記載の宿泊施設共有サービス提供方法。
【請求項４】
上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内いずれか一つである、請求項１に記載の宿泊施設共有サービス提供方法。
【請求項５】
上記宿泊施設共有候補グループは１次宿泊施設共有のための１次宿泊候補グループから３次宿泊施設共有のための３次宿泊候補グループの内、いずれか一つである、請求項１に記載の宿泊施設共有サービス提供方法。
【請求項６】
宿泊施設共有サービス提供のためのウェブサーバーであって、
複数の宿泊施設に関する情報を保存するデータベース部と、
複数のクライアントからそれぞれ宿泊施設使用申し込みを受信するように構成された通信部であって、上記宿泊施設申し込みのそれぞれは上記複数の宿泊施設の内、少なくとも一つを指定する情報を含む通信部と、
上記データベース部に連動され、上記宿泊施設申し込みに基づいて宿泊施設共有候補グループを構成するように構成された制御部であって、上記宿泊施設共有候補グループはグループID(Identification)によって識別され、上記グループIDは複数のメンバーIDと関連していて上記複数のメンバーIDは上記複数のクライアントの内一部のクライアントを識別する制御部と、を含み、
上記データベース部は上記複数のメンバーIDのそれぞれと関連したメンバー情報をさらに保存し、上記複数のメンバーIDのそれぞれと関連した上記メンバー情報は提供宿泊施設の開房日時、上記提供宿泊施設の廢房日時、使用宿泊施設の開房日時、上記使用宿泊施設の廢房日時、上記提供宿泊施設に対する開房日時ペナルティー金額、上記提供宿泊施設に対する廢房日時ペナルティー金額、上記使用宿泊施設に対する開房日時ペナルティー金額及び上記使用宿泊施設に対する廢房日時ペナルティー金額に関する情報を含めて上記複数のメンバーIDのそれぞれと関連した上記メンバー情報は上記該当メンバーIDと関連した口座に関する情報をさらに含み、
上記制御部は上記複数のメンバーIDのそれぞれに対して上記該当提供に対する廢房日時ペナルティー金額及び上記該当使用宿泊施設に対する開房日時ペナルティー金額が事業者によって指定された口座まで預けされたことをオンラインで確認することに応答して上記宿泊施設共有候補グループを宿泊施設共有グループに確定するようにさらに構成され、  上記制御部は上記確定された宿泊施設共有グループの上記グループIDと関連した特定メンバーIDによって識別されるクライアントから上記該当使用宿泊施設が開房されている事を知らせる通知メッセージを上記該当使用宿泊施設の開房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから事業者識別情報を含むメッセージを上記通信部を通じて受信する場合、上記特定メンバーIDと関連した上記口座まで上記該当使用宿泊施設に対する開房日時ペナルティー金額がオンライン入金されるようにさらに構成される、ウェブサーバー。
【請求項７】
上記制御部は上記複数のメンバーIDのそれぞれによって識別されるクライアントに上記該当提供に対する開房日時ペナルティー金額及び上記該当使用宿泊施設に対する廢房日時ペナルティー金額を上記事業者によって指定された口座まで入金せよと案内する案内メッセージを上記通信部を通じて送信するようにさらに構成される、請求項６に記載のウェブサーバー。
【請求項８】
上記制御部は、上記特定メンバーIDによって識別されるクライアントから上記該当提供宿泊施設が上記該当提供宿泊施設の廢房日時から廢房されている事を知らせる通知メッセージを上記該当提供宿泊施設の廢房日時から先定された時間内に上記通信部を通じて受信出来ず上記事業者端末から上記特定メンバーIDを識別する識別情報を含むメッセージを上記通信部を通じて受信したり上記特定メンバーIDによって識別されるクライアントから上記事業者識別情報を含むメッセージを上記通信部を通じて受信する場合、上記特定メンバーIDと関連した上記口座まで上記該当提供に対する廢房日時ペナルティー金額がオンライン入金されるようにさらに構成される、請求項６に記載のウェブサーバー。
【請求項９】
上記特定メンバーIDを識別する識別情報は、上記特定メンバーIDを識別するパスワード、指紋情報、血管情報、虹彩情報、網膜情報、音声情報、画像情報、署名情報、テキスト情報、音情報及び上記パスワード、上記指紋情報、上記血管情報、上記虹彩情報、上記網膜情報、上記音声情報、上記画像情報、上記署名情報、上記テキスト情報、または上記音情報を暗号化した情報の内いずれか一つである、請求項６に記載のウェブサーバー。
【請求項１０】
上記宿泊施設共有候補グループは１次宿泊施設共有のための１次宿泊候補グループから３次宿泊施設共有のための３次宿泊候補グループの内いずれか一つである、請求項６に記載のウェブサーバー。